(57)【要約】【課題】  変化に富み、広範囲に作用させることが可能な、旋回流を用いた吸引押圧マッサージノズル及びこれを用いたマッサージ装置を提供することを目的とする。【解決手段】    室内に旋回流を生じさせるよう設けられた入水部と、旋回軸方向の一端部に設けられた開口部と、を有する旋回室と、旋回流を吐水し負圧を生じさせる吐水口と、前記吐水口へと旋回流を導く旋回水路と、前記開口部よりも大なる径を有するストッパ部と、を有する可動子と、を有するマッサージノズルであって、前記ストッパ部が前記開口部よりも旋回室内に有り、前記吐水口の位置が可動子の運動により変化することを特徴とするマッサージノズルを提供する。【選択図】  図１
2006034829.tif 000002
【特許請求の範囲】
【請求項１】
室内に旋回流を生じさせるよう設けられた入水部と、
旋回軸方向の一端部に設けられた開口部と、を有する旋回室と、
少なくとも一部が旋回室内にあり先端に吐水口を備えた筒状の可動子と、
からなるマッサージノズルであって、
前記吐水口から旋回流を吐水し負圧を生じさせることを特徴とするマッサージノズル。
【請求項２】
前記吐水口の中心が前記旋回室の旋回室軸に対して偏心して設けられていることを特徴とする請求項１記載のマッサージノズル。
【請求項３】
前記旋回室の旋回室軸に垂直な断面積と、前記可動子内部の旋回室軸に垂直な断面積とが、略等しく一定であることを特徴とする請求項１または２記載のマッサージノズル。
【請求項４】
前記可動子は筒状内面より内側に延設された突起を有していることを特徴とする請求項１乃至３いずれか１項に記載のマッサージノズル。
【請求項５】
送水手段と、請求項１〜４いずれか１つに記載のマッサージノズルと、を備え、
前記送水手段から前記マッサージノズルの前記入水部を介して前記旋回室に水を供給し、使用者が前記マッサージノズルの前記吐水口に形成される負圧を利用した吸引マッサージを実施可能としたことを特徴とするマッサージシステム。
【発明の詳細な説明】
【技術分野】
【０００１】
本発明は、水道水又はポンプなどの水の圧力を利用して、ノズル内で旋回水流を形成し、その中心部に負圧を生じさせて吸引作用を持たせ、身体に吸引圧を作用させるマッサージノズル及びこれを用いたマッサージシステムに関する。
【背景技術】
【０００２】
身体の皮膚表面をマッサージして血液の循環を活性化する美容や健康増進を目的としたマッサージ器は広く普及している。このような従来のマッサージ器としては、例えば電動式の肩たたき器や腰もみ器、減圧状態にした吸入孔を身体表面に吸着させて使う器具、等が知られている。
【０００３】
流体の流れを利用してマッサージ効果を得ようとするマッサージ装置として、旋回水流を用いて吸引マッサージを行うマッサージ器が発明されている。
従来の旋回水流を用いて吸引マッサージを行うマッサージノズルは、ノズル外周に案内筒を設け、案内筒とノズル本体との間から、吐水をノズル後方に還流させている（例えば、特許文献１参照。）。 
このような場合、流れが安定するためマッサージ感が単調になっていまい使用者が飽きてしまうという問題があった。また、マッサージ感を使用者の好みに応じて変更することができず、使用者にとって不満の残る仕様となっていた。
【０００４】
また、拡開したガイド部の前部側に開口された流出部を設け、吐水を流出させているもある（例えば、特許文献２参照。）。
しかし、この場合も上記同様マッサージ感が単調になっていまい使用者が飽きてしまうという問題があった。 また、マッサージ感を使用者の好みに応じて変更することができず、使用者にとって不満の残る仕様となっていた。
【特許文献１】実開平４−５５３３７号公報
【特許文献２】特開２００３−３８３８２号公報
【発明の開示】
【発明が解決しようとする課題】
【０００５】
本発明は、上記問題を解決するためになされたもので、本発明の課題は、刺激感やマッサージ感を、自動的に変化させることである。
【課題を解決するための手段】
【０００６】
上記目的を達成するために、本発明のマッサージノズルは、室内に旋回流を生じさせるよう設けられた入水部と、旋回軸方向の一端部に設けられた開口部と、を有する旋回室と、少なくとも一部が旋回室内にあり先端に吐水口を備えた筒状の可動子と、からなり、前記吐水口から旋回流を吐水し負圧を生じさせることを特徴としている。
【０００７】
このように構成されたマッサージノズルでは、旋回吐水と負圧領域を形成する旋回流が可動子に設けられた吐水口から吐水されることで、可動子の運動により吸引押圧マッサージを変化に富んだものとすることができる。すなわち、可動子は、少なくとも一部が旋回室内にある状態で、旋回室内で生じた旋回流から力を受け、旋回室に対し回動等の運動をすることになり、これによって吐水口の位置が変化することになる。よって旋回流が吐水される位置が変化することとなり、吸引押圧マッサージの作用領域が変化するのである。
これにより、吸引吐水刺激を作用させている人体被処理部位においてマッサージ感が高まり、また変化に富む刺激となるため使用者が飽きることが無い。
【０００８】
また、本発明のマッサージノズルは、前記吐水口の中心が前記旋回室の旋回室軸に対して偏心して設けられているものとすることができる。
【０００９】
このように構成されたマッサージノズルでは、旋回室の旋回室軸周りに運動する吐水口の回転半径を大きくすることができ、人体被処理部位への吸引吐水刺激の振動振幅を大きくすることが可能となる。また、吐水口の可動範囲が広がることにより、広範囲の人体被処理部位に吸引吐水刺激を作用させることができ、マッサージノズルを固定したままでも広範囲を刺激可能になるため、使い勝手が向上する。
【００１０】
また、本発明のマッサージノズルは、前記旋回室の旋回室軸に垂直な断面積と、前記可動子内部の旋回室軸に垂直な断面積とが、略等しく一定であるよう設けられているものとすることができる。
【００１１】
このように構成されたマッサージノズルでは、旋回室から可動子内部を通って吐水口までの断面積が略等しく一定となり、可動子が旋回流から受ける軸方向（吐水方向）への押付け力を軽減することができる。よって、可動子が旋回室の開口部側に押付けられることによって生じる摩擦力を軽減でき、安定した可動子の運動を確保し、信頼性が向上する。
【００１２】
また、本発明のマッサージノズルは、前記可動子が筒状内面より内側に延設された突起を有しているものとすることができる。
【００１３】
このように構成されたマッサージノズルでは、可動子は筒状内面より内側に延設された突起によって旋回流の旋回方向の力を確実に受けることが可能となり、旋回力を効率よく可動子に伝達することが可能となるため、可動子の運動がより確実で回転力のあるものとなり、信頼性が向上する。
【００１４】
また、本発明のマッサージシステムは、
送水手段と、請求項１〜４のいずれか１つに記載のマッサージノズルと、を備え、前記送水手段から前記マッサージノズルの前記入水部を介して前記旋回室に水を供給し、使用者が前記マッサージノズルの前記吐水口に形成される負圧を利用した吸引マッサージを実施可能としたことを特徴としている。
【００１５】
このように構成することによって、刺激感やマッサージ感を変化させることができるマッサージシステムを提供できる。その結果として、限られた送水能力を十分に生かして、効率のよいマッサージが可能なマッサージシステムを提供できる。
【発明の効果】
【００１６】
本発明によれば、旋回室内で形成された旋回流の旋回力によって可動子を運動させ、可動子に設けられた吐水口の位置を変化させることにより、吸引吐水刺激の位置を変化させ、人体被処理部位に振動刺激感を付与すると共に刺激の作用範囲を広範囲とすることができ、使用者は快適にマッサージを行うことができる。
【発明を実施するための最良の形態】
【００１７】
以下、本発明の実施の形態について、図面を参照しつつ説明する。
【００１８】
図１は、本発明の第１の実施の形態にかかるマッサージノズルの斜視図であり、図２はその断面図、図３は図２のＡ−Ａ断面を示す断面図である。また、図４はマッサージノズルに湯水を供給した際の旋回流が形成されている模式図であり、図５及び図６は可動子が傾いている状態を示す模式図であり、図７はマッサージノズルを人体被処理部位にあてがっている様子を示す模式図である。
本実施形態のマッサージノズル１は、旋回部２と押さえ部３と接続部４とからなるマッサージノズル本体１０と、可動子２０と、を有している。旋回部２と押さえ部３とはネジ等で水密に締結されている。旋回部２と押さえ部３の内部には、断面が略円形である旋回室８が形成されており、押さえ部３に設けられている開口部７にて外界に開かれている。また、旋回部２には、旋回室８の周壁の略接線方向に湯水を導入する入水部６が設けられている。接続部４はネジ等で旋回部２に水密に締結されており、その内部には入水部６へ連通する導入路５が設けられている。可動子２０は、内部に断面が略円形である旋回水路２０ａを有する筒状の形状を成しており、一端を旋回室８側に開口し、一端（吐水口２０ｂ）をマッサージノズル本体１０の外側に開口している。また、可動子２０は、開口部７よりも大きな径を有する環状のストッパ部２０ｃを有し、旋回室８内に収められている。すなわち、可動子２０は、押さえ部３によりストッパ部２０ｃを旋回室８内に収められた状態で、マッサージノズル本体１０から脱離しないよう構成されている。尚、旋回部２と押さえ部３は、ここでは別々に形成されているが、一体に形成されていてもよい。
【００１９】
入水部６から導入された水は、旋回室８の周壁に沿った旋回流ＣＦを形成可能とされている（図３参照）。ここで、旋回流ＣＦを効率的に形成するためには、入水部６は旋回室８の周壁の接線方向に開口していることが望ましい。但し、入水部６が、周壁に対して正確に接線方向に開口しておらず、その開口方向あるいは開口位置に接線方向からの「ずれ」があるような場合でも、旋回流が形成されればよい。
またここで、「入水部」とは、旋回室８に水を導入するために旋回室８の内壁に設けられた開口、または旋回室８に対する水の導入方向を実質的に決定する水路、の少なくともいずれかをいうものとする。例えば、図３に表した断面図においては、導入路５と旋回室８とを連通している水路を「入水部」ということができる。
【００２０】
入水部６は、旋回室軸Ｚ１に対して平行な方向に沿った幅Ｗ１を、旋回室軸Ｚ１に対して垂直な方向に沿った幅Ｗ２よりも大きい扁平形状とすることができる。これにより、旋回室８において、旋回室軸Ｚ１からの入水位置が遠くなるので水流に与える旋回モーメントが増加し旋回流ＣＦを十分に発達させやすくなる。つまり、このように入水部６を扁平形状とすることにより、効率良く旋回流を発達させて強い吸引力を得ることができる。このため、少ない送水能力でも強い吸引力が得られ、顕著な各種の生体効果が得られると同時に、ランニングコストや設置スペースなどの削減も可能となる。
【００２１】
接続部４は、例えば一般のシャワーヘッドと交換可能なようにネジ等を設けておけば、シャワーホースに連結することができ、水道直結型として使用することができる。また、例えばブロー浴器の噴出口に接続可能にネジ等を設けておけば、浴槽水循環型として使用することができる。
【００２２】
可動子２０は、自由に動くことが可能に、旋回室８内に収められている。すなわち、可動子２０は、開口部７よりも大きな径を有する環状のストッパ部２０ｃを有しているので、押さえ部３によりストッパ部２０ｃが引っ掛かり、マッサージノズル本体１０から脱離することはないが、旋回室８内において、自由に動くことが可能となっている。特に、ストッパ部２０ｃは、旋回室８の少なくとも一部の内径よりも小さい径を有していることで、旋回室軸Ｚ１回りに回転自在に設けられている。また、ストッパ部２０ｃの外面（押さえ部３に当接する部分）を球面の一部に近い形状にすることで、また押さえ部３の内面（ストッパ部２０ｃに当接する部分）を球面の一部に近い形状にすることで、可動子２０は、押さえ部３に対してストッパ部２０ｃを環状に線接触させた状態で、旋回室軸Ｚ１に対して傾くことが可能となっている。また、可動子２０の可動子軸Ｚ２（図２においては旋回室軸Ｚ１と同じ）方向の長さは適宜設計され、可動子２０が旋回室軸Ｚ１方向に過度に動くことを抑制するように設計してもよい。
【００２３】
次に、マッサージノズルのマッサージ動作について説明する（図４参照）。
図示しない送水手段から送られた水は、接続部４内の導入路５を通り、入水部６から旋回室８へと導入される。入水部６は旋回室８の周壁の接線方向に開口しているため、旋回室８内に導入された水は、旋回室８内にて旋回流ＣＦを形成する。この旋回流ＣＦは、旋回室８から可動子２０内部の旋回水路２０ａを経て、吐水口２０ｂから円錐状の旋回吐水ＣＴとなって吐水される。この時、可動子２０のストッパ部２０ｃが環状に形成されているため、ストッパ部２０ｃと押さえ部３は環状に接触し、可動子２０と開口部７との隙間からの吐水は抑制され、旋回吐水ＣＴの主流は、吐水口２０ｂから吐水されることとなる。この時、旋回流ＣＦが持つ遠心力によって、旋回室８の中心部に負圧部が生じ可動子軸Ｚ２（図４においては旋回室軸Ｚ１と同じ）に沿ってマッサージノズル１の外から旋回室８の中へ引き込もうとする力（以後、吸引力ＮＦと呼ぶ）が生じる。
【００２４】
このとき、旋回室８内に収められている可動子２０は、旋回流ＣＦから旋回室軸Ｚ１の軸方向外向き（旋回室８内から開口部７への向き）の力を受け、ストッパ部２０ｃが押さえ部３に当接する位置に移動し、ストッパ部２０ｃと押さえ部３は環状に接触する状態となる。また、旋回流ＣＦの旋回成分より、可動子２０を旋回室軸Ｚ１回りに回転させる力、及び、可動子２０を可動子軸Ｚ２回りに回転させる力、が働く。このとき、旋回流ＣＦの不均一性や可動子２０の不均一性、人体皮膚との接触等の外乱により、可動子２０は旋回室軸Ｚ１に対して可動子軸Ｚ２を傾ける力を受ける。これらの力の作用により、可動子２０は可動子軸Ｚ２を旋回室軸Ｚ１に対して傾けた状態で旋回室軸Ｚ１回りに回転し、また可動子軸Ｚ２回りに回転する、という運動を行う（図５及び図６参照）。
この可動子２０の動きにより、可動子軸Ｚ２を軸とした円錐状の吐水である旋回吐水ＣＴは、旋回室軸Ｚ１に対して傾いた状態で旋回室軸Ｚ１回りに回転することになり、すなわち吐水方向を変化させながら吐水することとなる。そして、旋回吐水ＣＴが変化するとともに、その中心部に形成されている負圧領域もその形成位置を変化させることになる。
【００２５】
このように吸引力ＮＦが発生している状態において、人体の被処理部位８０をマッサージノズル１の可動子２０の吐水口２０ｂに近づけると、吸引力ＮＦが作用し、人体の被処理部位８０はマッサージノズル１内部側に吸引され、場合によっては吐水口２０ｂよりも内部へと吸引される（図７参照）。一方、旋回吐水ＣＴは、吐水口２０ｂと人体の被処理部位８０との間に連続的な水膜を形成し、人体の被処理部位８０をドーナツ状に押している。つまり、人体の被処理部位８０は、旋回吐水ＣＴによる押圧力ＰＦと吸引力ＮＦとを同時に受けるというマッサージ感を得ることができる。また、旋回流が有する旋回成分により、被処理部位８０に対して「ねじり」を含む振動が与えられ、「揉みほぐし」の効果も得られる。
【００２６】
そして、可動子２０が可動子軸Ｚ２に対して回転及び旋回室軸Ｚ１に対して傾くことにより、旋回吐水ＣＴは吐水角度を変化させ、その中心部に形成されている負圧領域はその形成位置を変化させる。これにより、人体の被処理部位８０に与える押圧力ＰＦと吸引力ＮＦは変化することになり、人体に対するマッサージ効果及びマッサージ感を向上させることが可能となる。すなわち、旋回流ＣＦによる「ねじり」の効果に加えて、可動子２０の回転による「ねじり」の効果、および可動子２０の傾きによる「作用位置ずれ」の効果が加わることになる。使用者は、マッサージノズル本体１０を手で持って吐水口２０ｃを人体の被処理部位８０に近づける、もしくはマッサージノズル本体１０を浴槽の壁面等に固定して人体の被処理部位８０を吐水口２０ｃに近づける、等の動作を行うことによって押圧吸引マッサージを行うわけであるが、このときに、使用者はマッサージノズル本体１０を動かさなくても、もしくは人体を動かさなくても、変化に富んだマッサージ感を得ることが可能となり、また広範囲にマッサージ効果を向上することが可能となる。
【００２７】
このようなマッサージノズル１を用いてマッサージを行うことで、被処理部位８０は立体的にマッサージを受けることが可能となり、血行促進を促す等の効果がある。人体の被処理部位８０の形状等を考慮すると、吐水口２０ｃの径Ｌ２は、φ５ｍｍ〜φ８０ｍｍの範囲内にあることが望ましい。吐水口２０ｃの径Ｌ２がφ８０ｍｍよりも大きいと人体の起伏にそって操作しづらく、また装置が大きくなるため操作性に乏しい。逆に、吐水口２０ｃの径Ｌ２がφ５ｍｍよりも小さいと、人体に対してマッサージ効果及びマッサージ感が乏しくなる。
【００２８】
また、旋回吐水ＣＴおよび吸引力ＮＦは吐水口７からの距離によって変化するので、吐水口７から人体被処理部位８０までの距離を変化させることで作用力を変化でき、使用者に与えるマッサージ感を変化させることもできる。但し、距離が遠すぎると、吸引力ＮＦが減少し人体への作用が少なくなるので、押さえ部３に突起等のガイド部を設けて、そのガイド部の先端を人体に接触させながら吸引押圧マッサージを行うという構成とする場合には、吐水口２０ｃからガイド部先端までの旋回室軸Ｚ１に沿った方向の長さは、５０ｍｍ以下とするのが望ましい。
本実施例の典型値としては、吐水口２０ｃの径Ｌ２がφ４０ｍｍ、旋回室８の最大径Ｌ１がφ５０ｍｍ、である。
【００２９】
次に、本発明のマッサージノズルの第１実施例の変形例について図８乃至図１０を用いて述べる。図８は、本発明の第１実施例の変形例における旋回流の形成状態を示す模式図であり、図９及び図１０は可動子が旋回室軸Ｚ１に対して偏心している状態を示す模式図である。尚、これらの図面については、図１乃至図７に関して前述したものと同様の要素には同一の符号を付して詳細な説明は省略する。
第１実施例の変形例のマッサージノズル１Ａも、マッサージノズル本体１０Ａと可動子２１とからなり、マッサージノズル本体１０Ａ内にある旋回室にて旋回流を形成し、旋回吐水による押圧力と負圧形成による吸引力とを人体に作用させ、マッサージを行う。
本実施例では、可動子２１のストッパ部２１ｃは環状に設けられ、押さえ部３Ａと当接する面は平面となっている。また、押さえ部３Ａのストッパ部２１ｃと当接する面は平面となっている。これにより、旋回流によって可動子２１が押さえ部３Ａ側に移動し当接したときに、可動子２１と押さえ部３Ａとは面接触状態となり、可動子２１と開口部７との隙間から旋回流が吐水することを抑制する。これにより、旋回流の主流は吐水口２１ｂから吐水されることになる。
【００３０】
旋回室８の径をＬ１、吐水口２１ｂの径をＬ２、可動子２１の筒部外径をＬ３、ストッパ部２１ｃの外径をＬ４、押さえ部３Ａの内径をＬ５とする。このとき、基本的にＬ２＜Ｌ３＜Ｌ５＜Ｌ４＜Ｌ１である。
ストッパ部２１ｃと押さえ部３Ａが面接触しているときに、ストッパ部２１ｃによって可動子２１と開口部７との隙間からの吐水を遮断するために、
Ｌ１−Ｌ４＜Ｌ５−Ｌ３  の場合は、Ｌ１＋Ｌ５＜２×Ｌ４
Ｌ１−Ｌ４＞Ｌ５−Ｌ３  の場合は、２×Ｌ５−Ｌ３＜Ｌ４
とするのが望ましい。尚、Ｌ１−Ｌ４＝Ｌ５−Ｌ３としても構わないが、ストッパ部２１ｃと押さえ部３Ａとの間で点接触部が存在し、若干遮断性能が劣る。
尚、第１実施例では線接触の例を、第１実施例の変形例では面接触の例を、それぞれ述べたが、これらは適宜採用すればよい。線接触の場合は、摺動抵抗が少ないことから回転動作の信頼性を向上させることが可能であり、また面接触の場合は、可動子と開口部７との隙間からの吐水を遮断する遮断性を向上させることが可能となる。吐水口から旋回流を吐水させることで、吐水口回動変化によるマッサージ変化をより効果的なものとすることができる。
【００３１】
旋回流ＣＦによりストッパ部２１ｃが押さえ部３Ａに当接する位置に移動した状態において、可動子２１は、旋回流の旋回成分により旋回室軸Ｚ１回りに回転させる力、及び可動子軸Ｚ２に対して回転させる力を受ける。このとき、旋回流ＣＦの不均一性や可動子２１の不均一性、人体皮膚との接触等の外乱により、可動子２１は旋回室軸Ｚ１に対して可動子軸Ｚ２を偏心させる力を受ける。これらの力の作用により、可動子２１は、可動子２１の筒部外面（Ｌ３にて示される面）を押さえ部３Ａの内面（Ｌ５にて示される面）に接触させながら偏心回転する、もしくはストッパ部２１ｃの外面（Ｌ４にて示される面）を旋回室８の内面（Ｌ１にて示される面）に接触させながら偏心回転する。すなわち、旋回室軸Ｚ１に対して可動子軸Ｚ２を偏心させた状態で、可動子は旋回室軸Ｚ１回りに回転し、さらに可動子軸Ｚ２回りに自転することになる。
ここで、これらの寸法を適宜調整することで、偏心量を調整することができ、好みに応じて調整・設計することができる。例えば、Ｌ５に対してＬ３を小さくすれば、偏心量を大きくすることができる。
【００３２】
この可動子２１の動きにより、旋回吐水ＣＴは、吐水位置を変化させながら吐水することとなる（図９及び図１０参照）。そして、旋回吐水ＣＴが変化するとともに、その中心部に形成されている負圧領域もその形成位置を変化させることになる。
このような動きをする可動子２１の吐水口２１ｂに人体を近づけることで、吸引押圧マッサージを実現するとともに、旋回流ＣＦによる「ねじり」の効果に加えて、可動子２１の回転による「ねじり」の効果、および可動子２１の偏心による「作用位置ずれ」の効果を加えることができ、人体に対するマッサージ効果及びマッサージ感を向上させることが可能となる。
【００３３】
次に、本発明の第２実施例に関して、図１１乃至図１３を用いて説明する。図１１は、本発明の第２実施例のマッサージノズルの断面図であり、図１２は第２実施例のマッサージノズルにおける旋回流の形成状態を示す模式図であり、図１３は図１２の状態から可動子が旋回室軸回りに半回転した状態の旋回流の形成状態を示す模式図である。尚、これらの図面については、図１乃至図１０に関して前述したものと同様の要素には同一の符号を付して詳細な説明は省略する。
【００３４】
第２実施例のマッサージノズル１Ｂも、マッサージノズル本体１０Ｂと可動子２２とからなり、マッサージノズル本体１０Ｂ内にある旋回室８にて旋回流を形成し、旋回吐水による押圧力と負圧形成による吸引力とを人体に作用させ、マッサージを行う。
本実施例では、可動子２２のストッパ部２２ｃは環状に設けられ、押さえ部３Ｂと当接する面は平面となっている。また、押さえ部３Ｂのストッパ部２２ｃと当接する部分には、環状の突起３０が設けられている。これにより、旋回流によって可動子２２が押さえ部３Ｂ側に移動し当接したときに、可動子２２と押さえ部３Ｂとは環状の突起３０を介して環状の線接触状態となり、可動子２２と開口部７との隙間から旋回流が吐水することを抑制する。これにより、旋回流の主流は吐水口２２ｂから吐水されることになる。
【００３５】
可動子２２は、両端が開放された筒状の形状をなしており、環状のストッパ部２２ｃを有している。環状のストッパ部２２ｃは、可動子２２が旋回室軸Ｚ１回りに自転できるよう設計されている。ここでは、旋回室８の内径と、環状のストッパ部２２ｃの外径を、回転上必要な隙間を考慮しつつ、ほぼ同じ径としている。さらに、可動子２２の吐水口２２ｂは、旋回室軸Ｚ１から偏心して形成されている。ここでは筒状内に形成された旋回水路２２ａが円柱状に設けられており、旋回水路２２ａの旋回水路軸Ｚ３が旋回室軸Ｚ１から偏心して形成されている（吐水口２２ｂの中心は旋回水路軸Ｚ３と重なる）。尚、ここでは旋回水路２２ａは円柱状のものを述べたが、斜円柱状のものや円錐状のものやそれらの組み合わせのもの等が適宜採用でき、それらの場合、吐水口２２ｂの中心が、旋回室軸Ｚ１から偏心していることを特徴とする。
【００３６】
このような可動子２２を有するマッサージノズル１Ｂは、前述同様、旋回室８内で旋回流を形成し、吐水口２２ｂから旋回吐水ＣＴを吐水し、また負圧領域を形成し吸引力ＮＦを発生する。このとき、可動子２２は、旋回流ＣＦによりストッパ部２２ｃが押さえ部３Ｂの突起３０に当接する位置に移動した状態において、旋回流の旋回成分により旋回室軸Ｚ１回りに回転させる力を受け、旋回室軸Ｚ１回りに回転（図１２の矢印Ｋ１）する。このとき、ストッパ部２２ｃの外径と旋回室８の内径がほぼ同じ径とされているので、可動子２２は旋回室軸Ｚ１回りに自転することになる。そして、あらかじめ旋回室軸Ｚ１に対して偏心して設けられている吐水口２２ｂは、可動子２２の回転とともに、旋回室軸Ｚ１回りに、偏心して回転することになる。
【００３７】
この可動子２２の動きにより、旋回吐水ＣＴは、吐水口２２ｂの位置変化とともに吐水位置を変化させながら吐水することになる。そして、旋回吐水ＣＴが変化するとともに、その中心部に形成されている負圧領域もその形成位置を変化させることになる（図１２及び図１３参照）。
このような動きをする可動子２２の吐水口２２ｂに人体を近づけることで、吸引押圧マッサージを実現するとともに、旋回流ＣＦによる「ねじり」の効果に加えて、吐水口２２ｂの偏心による「作用位置ずれ」の効果を加えることができ、人体に対するマッサージ効果及びマッサージ感を向上させることが可能となる。このとき、偏心量を大きくとることで、変化の大きいマッサージを実現でき、また、広範囲に作用させることが可能となる。ここで、偏心量は旋回室軸Ｚ１と吐水口２２ｂの中心との距離によって決定するので、シンプルで信頼性の高い構成となり、設計も容易となる。また、旋回水路２２ａの形状を斜円柱状にすること等によって、マッサージノズル本体の大きさをコンパクトに保ちながら偏心量を大きくすることが可能であり、設計の自由度が高い。
【００３８】
次に、本発明の第３実施例に関して、図１４及び図１５を用いて説明する。図１４は、本発明の第３実施例のマッサージノズルの斜視図であり、図１５は、第３実施例の断面図である。尚、これらの図面については、図１乃至図１３に関して前述したものと同様の要素には同一の符号を付して詳細な説明は省略する。
【００３９】
第３実施例のマッサージノズル１Ｃも、マッサージノズル本体１０Ｃと可動子２３とからなり、マッサージノズル本体１０Ｃ内にある旋回室８にて旋回流を形成し、旋回吐水による押圧力と負圧形成による吸引力とを人体に作用させ、マッサージを行う。尚、本実施例では、先述した旋回部と接続部は、一体形成されており、その内部に導入路５、入水部６、旋回室８が形成されている。一体に形成されていることで、製造時の部品点数が減り、信頼性の向上と、低コスト化が実現できる。
【００４０】
本実施例では、可動子２３は旋回室軸Ｚ１回りに回転自在ながらも、旋回部２Ｃと押さえ部３Ｃによって回転可能な隙間を有しつつ挟まれており、旋回室軸Ｚ１方向の動きはある範囲内に制限されている。旋回部２Ｃの押さえ部３Ｃ接続側に袋部３１が設けられており、袋部３１は、ストッパ部２３ｃの外径よりも大きな内径を有し、かつ旋回室軸Ｚ１方向の長さがストッパ部２３ｃの旋回室軸Ｚ１方向の長さよりも長くなっている。そして、ストッパ部２３ｃを袋部３１に収納するように可動子２３を配置し、さらにストッパ部２３ｃに被せるように押さえ部３Ｃを旋回部２Ｃにネジ等で装着する。押さえ部３Ｃの開口部７の径よりも可動子２３のストッパ部２３ｃの外径は大きく形成されており、可動子２３は、押さえ部３Ｃによって、旋回部２Ｃと押さえ部３Ｃとから構成されているマッサージノズル本体１０Ｃから脱離することがない。また、可動子２３の筒状部の外径は開口部７よりも小さく形成されており、袋部３１がストッパ部２３ｃよりも大きく形成されていることから、可動子２３は、旋回室軸Ｚ１回りに回転自在に設けられている。ここでは、ストッパ部２３ｃの外径と袋部３１の内径をほぼ等しくすることで、可動子２３は、旋回室軸Ｚ１回りに自転する構成となっている。尚、ストッパ部２３ｃを収める部分である袋部３１は、本実施例では旋回部２Ｃに設けたが、その機能を果たせば、押さえ部３Ｃに形成されていても、旋回部２Ｃおよび押さえ部３Ｃにまたがって形成されていても、構わない。
【００４１】
旋回室８は、旋回部２Ｃ内において、略円柱状に形成されている。そして旋回室８の略円柱状を延長するように、可動子２３の旋回水路２３ａが設けられており、旋回水路２３ａは途中から斜円柱状の形状をなし、吐水口２３ｂで外部に開口している。すなわち、旋回水路２３ａは、円柱状と斜円柱状の連続体の形状で形成されており、吐水口２３ｂは、旋回室軸Ｚ１から偏心していることとなる。旋回室８から可動子２３はこのような構造を有しており、旋回室８の旋回室軸Ｚ１に垂直な断面形状と旋回水路２３ａの旋回室軸Ｚ１に垂直な断面形状は略等しくなっており、その断面積は略等しく一定である。
【００４２】
このような構造を有するマッサージノズル１Ｃの導入路５に湯水を供給することで、前述同様、旋回流を形成し、吸引押圧マッサージを実現することができる。その際、旋回室８から旋回水路２３ａにおいて流路断面積が略等しく一定なので、旋回流ＣＦはスムーズに旋回室８から旋回水路２３ａに流れ、吐水口２３ｂから吐水することができる。このとき、旋回室軸Ｚ１方向に流路の段差がないため、可動子２３は過度に旋回流ＣＦからの旋回室軸Ｚ１外向きの力（押さえ部３Ｃにストッパ部２３ｃを押付ける押付力）を受けることが無くなる。すなわち、可動子２３が旋回室軸Ｚ１回りに自転する際の摺動抵抗を緩和することができ、可動子２３の回転安定性が向上する。また、流路断面積が略等しく一定であることで、旋回流ＣＦの形成時から吐水時までの圧力損失を低減し、効率のよい旋回吐水ＣＴを実現できる。この場合、旋回室８から旋回水路２３ａにおいて、流路断面積が拡がる傾向にあるよう設けてもよく、この場合、旋回流による可動子２３を押さえ部３Ｃに押付ける押付力が低減し摺動抵抗が低減するため、回転安定性が向上する。
【００４３】
可動子は、旋回流ＣＦの旋回成分を受けて旋回室軸Ｚ１回りに自転し、あらかじめ旋回室軸Ｚ１に対して偏心して設けられている吐水口２３ｂは、可動子２３の回転とともに、旋回室軸Ｚ１回りに、偏心して回転することになる。また、可動子２３の旋回室軸Ｚ１方向の可動範囲が袋部３１および押さえ部３Ｃによって制限されているため、可動子２３は外乱につよく安定した回転をすることができる。
【００４４】
このような動きをする可動子２３の吐水口２３ｂに人体を近づけることで、吸引押圧マッサージを実現するとともに、旋回流ＣＦによる「ねじり」の効果に加えて、吐水口２３ｂの偏心による「作用位置ずれ」の効果を加えることができ、人体に対するマッサージ効果及びマッサージ感を向上させることが可能となる。また、流路断面積が旋回室８から旋回水路２３ａにかけて略等しく一定であることから、可動子２３の回転安定性を向上し、さらには効率よいマッサージシステムを構築することができる。
【００４５】
次に、本発明の第４実施例に関して、図１６乃至図２５を用いて説明する。図１６は、本発明の第４実施例のマッサージノズルの斜視図であり、図１７は、第４実施例の正面図である。図１８は、図１７のＡ−Ａ断面図であり、図１９は図１８のＢ−Ｂ断面図である。また、図２０乃至図２３は、第４実施例における可動子が回動している様子を示す一連の斜視図であり、図２４及び図２５は、第４実施例のマッサージノズルを人体に作用させている状態を示す模式図である。尚、これらの図面については、図１乃至図１５に関して前述したものと同様の要素には同一の符号を付して詳細な説明は省略する。
【００４６】
第４実施例のマッサージノズル１Ｄも、マッサージノズル本体１０Ｃと可動子２４とからなり、マッサージノズル本体１０Ｃ内にある旋回室８にて旋回流を形成し、旋回吐水による押圧力と負圧形成による吸引力とを人体に作用させ、マッサージを行う。尚、入水部６での圧力損失を軽減するために、導入路５から入水部６へは流路が滑らかに変化するよう形成されている。
【００４７】
本実施例も、第３実施例と同様、可動子２４は、ストッパ部２４ｃが旋回部２Ｃに設けられた袋部３１に収納され、押さえ部３Ｃによってマッサージノズル本体１０Ｃから脱離しないように構成されている。このとき可動子２４は、旋回室軸Ｚ１回りに回動自在に設けられており、また、吐水口２４ｂが旋回室軸Ｚ１に対して偏心して設けられている。
そしてさらに、可動子２４は、筒状内面より内側に延設された突起としての回転翼３２を有している。すなわち、可動子２４には、旋回水路２４ａの壁面から連結部材３３を介して回転翼３２が３枚設けられており、回転翼３２の端部には、回転翼３２が折れたり破損したりしないよう補強リング３４が設けられており、３枚の回転翼３２を連結している。
【００４８】
回転翼３２は、旋回室８内に突出して設けられており、旋回室８内で形成される旋回流ＣＦの旋回成分の力を受けやすいように、旋回室８の周壁面近傍に、周壁に対して略垂直に設けられている。すなわち、旋回流ＣＦは旋回室８周壁に沿って形成されるため、回転翼３２は周壁面近傍に設けられているのが望ましく、よって、連結部材３３および回転翼３２は、旋回水路２４ａの壁面に端を発し、可動子２４が回動自在な隙間を旋回室８周壁面との間に確保しつつ、旋回室８内部まで設けられている。
【００４９】
また、可動子２４は、連結部材３３および回転翼３２および補強リング２４以外の部分において周面方向が開放されているため、旋回流ＣＦは旋回室８から可動子２４の旋回水路２４ａへとスムーズに流れることができる。
【００５０】
このように構成されたマッサージノズル１Ｄでは、可動子は回転翼３２によって旋回流の旋回方向の力を確実に受けることが可能となり、旋回力を効率よく可動子に伝達することが可能となるため、可動子の回動運動がより確実で回転力のあるものとなる。
【００５１】
また、回転翼３２は入水部６付近に設けられ、入水方向に見て入水部６の大きさよりも大きく形成されていることにより、湯水が旋回室８に突入する突入エネルギーを回転翼３２にて確実に受け止めることが可能となり、可動子２４の回転力が増し、より確実な回動運動となる。
【００５２】
可動子２４の回動動作としては、第３実施例と同様である。すなわち、可動子は、旋回流ＣＦの旋回成分を受けて旋回室軸Ｚ１回りに自転し、あらかじめ旋回室軸Ｚ１に対して偏心して設けられている吐水口２４ｂは、可動子２４の回転とともに、旋回室軸Ｚ１回りに、偏心して回転することになる。図２０乃至図２３にその回動状態の斜視図を示す。すなわち、吐水口２４ｂが上方に偏心（図２０）、吐水口２４ｂが右方に偏心（図２１）、吐水口２４ｂが下方に偏心（図２２）、吐水口２４ｂが左方に偏心（図２３）、という順序で、入水部６の入水方向に応じて変化する。本実施例の場合、マッサージノズル１Ｄを正面から見て時計回りに入水部６が形成されているため、吐水口２４ｂは時計回りに偏心位置を変えることになる。
【００５３】
このような動きをする可動子２４の吐水口２４ｂに人体を近づけることで、吸引押圧マッサージを実現するとともに、旋回流ＣＦによる「ねじり」の効果に加えて、吐水口２４ｂの偏心による「作用位置ずれ」の効果を加えることができ、人体に対するマッサージ効果及びマッサージ感を向上させることが可能となる（図２４及び図２５参照）。また、回転翼３２を有していることにより、回転力のある可動子２４の回動動作を実現し、外乱に強く信頼性の高い装置構成を実現できる。
【００５４】
本実施例では、回転翼３２は旋回室８内に配置されるよう設けられているが、旋回流ＣＦの旋回成分を受けることが可能であればその位置は問わない。例えば、旋回水路２４ａの壁面に直に取り付けられていても構わない。その場合、連結部材３３および補強リング３４は必要なく、コンパクトで剛性の強い構成となる。
また、回転翼３２の翼枚数も適宜設計すればよく、本実施例では３枚の回転翼３２を周方向に均等配置しているが、不均一に配置してもよい。不均一に配置することで、入水部６からの突入エネルギーを受けるタイミングを不均一とすることができ、可動子２４の回動動作を変化に富んだものとすることができる。これによって、マッサージ感をより変化に富んだものとすることができる。
【００５５】
これらの実施例において、可動子を交換可能とすることで、使用者の好みに応じてマッサージ感を変化することが可能となる。
また、入水部６はコンパクト性およびデザイン性から一つとしてあるが、複数設けてもよく、その場合、入水部６の位置を非対称とすることで、旋回流ＣＦのバランスを崩し可動子の回動運動を不規則とすることによってマッサージ感を変化に富んだものとすることができる。
また、旋回室８の開口部７に対向する底面に、外気と通じる小穴を設け、旋回室８内に外気を導入できるようにし、旋回流ＣＦが形成する負圧によって外気を吸い、旋回吐水に気泡を混入するよう構成してもよい。
【００５６】
以上、図１乃至図２５を参照しつつ本発明のマッサージノズルについて説明した。次に、これらのマッサージノズルを用いた本発明のマッサージシステムについて説明する。
すなわち、図１乃至図２５に関して前述した本発明のマッサージノズルを、送水手段などと組み合わせることにより、吸引マッサージが実施可能なマッサージシステムが実現する。
図２６及び図２７は、本発明のマッサージシステムの第１実施例を、斜め正面側、及び斜め後方側からそれぞれ眺めた模式図である。また、図２８は、このマッサージシステムの要部構成を表すブロック図である。
【００５７】
すなわち、本実施例のマッサージシステムをその外部から眺めると、筺体９０と、その正面から伸びる可撓性ホース９１と、その先端に設けられたマッサージノズル１と、を有する。筺体９０には、電源スイッチ９２、流量調節バルブ９３、取水口９４、持ち穴９５、電源コード９６などが適宜設けられている。筐体９０の内部には、送水手段９７が収容されている。送水手段９７は、例えば耐水処理が施された電動式の送水ポンプを内蔵し、取水口９４から取り入れた水（お湯）を可撓性ホース９１を介してマッサージノズル１に送出する。送水ポンプは、例えば、筐体９０の外部から交流または直流の電力の供給を受けるようにしてもよく、または、筐体９０の中に充電池などの電源を内蔵して電力を供給してもよい。いずれの場合にも、浴槽内の湯に沈めて安全に使用できるよう、所定の耐水処理が適宜実施されている。
また、旋回流に気泡を混入させる場合は、マッサージノズル１の旋回室底面に設けられた空気取り込み用の小穴が外気と通じるよう、空気配管が適宜設けられる。
【００５８】
一方、マッサージノズル１は、図２６に例示した如く、シャワーヘッドに類似した外観を有する。同図に表したマッサージノズル１αは、その先端付近を「わしづかみ」にして用いるのに適した形状を有する。またマッサージノズル１βは、通常のシャワーヘッドの如くその根本部分を保持して用いるのに適した形状を有する。  
これらマッサージノズル１（１α、１β）は、図１乃至図２５に関して前述したように、回動自在な可動子を有している。
【００５９】
図２９は、本実施例のマッサージシステムの使用状態を説明するための模式図である。すなわち、使用者２００は、湯１１０をはった浴槽１００の中に本発明のマッサージシステムを設置し、筐体９０の上に腰掛けた状態でマッサージノズル１を操作することができる。この際、前述したように旋回吐水により形成される水膜によりガイド部先端６０の周囲が覆われるため、人体の被処理部位８０の表面は水膜に保護され、人体はマッサージノズルから過度の摩擦抵抗を受けず、不快な刺激が無く、使用感に優れる。浴槽内の水（お湯）の中に浸した状態で用いると、吸引力を低下させる空気層（空洞）が旋回室内に形成されることを抑制でき、より効果的である。また、浴槽１００内のお湯１１０を循環使用する点で、節水効果も高い。
【００６０】
本実施例のマッサージシステムによれば、図１乃至図２５に関して前述したように、可動子が回動自在に設けられ、吐水口の位置が変化することにより、使用者は、飽きることなく変化に富んだ吸引押圧マッサージを堪能することができる。
【００６１】
また、マッサージノズル１が筐体９０に対して可撓性ホース９１により接続されているので、マッサージノズル１を使用者の身体のあらゆる部分の被処理部位に対して柔軟且つ自在にあてることができる。
【００６２】
また、本実施例によれば、使用者２００は、コンパクトな筐体９０の上に腰掛けた状態でマッサージノズル１を操作できる。その結果、使用者２００は、常にリラックスした状態で吸引マッサージすることができる。またさらに、上半身、例えば脇の下から二の腕を吸引マッサージするような場合でも、マッサージノズル１を浴槽の湯１１０の中に浸した状態で操作することが可能である。しかも、マッサージしづらいヒップや太ももの裏側などが、腰掛けていることにより浴槽底面から浮いた状態となることにより、マッサージするスペースが生じ、下半身、例えば、ヒップや太ももの裏側まで、まんべんなく吸引押圧マッサージすることができる。従って、これらの部位につきやすい「セルライト（老廃物と脂肪の塊）」を揉みほぐすことにより、老廃物の排出を促進し、セルライトを正常な脂肪に改善することができる。その結果として、人体の「引き締め効果」が得られる。
【００６３】
図３０は、本発明のマッサージシステムの第２実施例を表す模式図である。すなわち、同図は、浴槽１００と組み合わされたマッサージシステムを表す。  
本実施例の場合、浴槽１００の中にノズル収容部１２０が設けられ、図１乃至図２５に関して前述した本発明のマッサージノズル１は、このノズル収容部１２０に収容可能とされている。そして、送水手段９７は、水配管９８を介して浴槽１００の中の水（お湯）を取水し、可撓性ホース９１を介してマッサージノズル１に送出する。
【００６４】
本実施例においては、図３０（ａ）に表したように、ノズル収容部１２０にマッサージノズル１を収納した状態で、使用者は、浴槽１００内に入浴しマッサージノズル１に被処理部位をあてがうことにより吸引押圧マッサージを受けることができる。この時、マッサージノズル１は、水没していてもよく、お湯よりも上に露出していてもよい。但し、マッサージノズル１を水没させたほうがより強い吸引マッサージを受けることができる。  
また一方、図３０（ｂ）に表したように、マッサージノズル１をノズル収容部１２０から取り外して用いることができる。本実施例においては、マッサージノズル１は、可撓性ホース９１により接続されているので、使用者は、マッサージノズル１を自由な位置に移動させ、被処理部位にあてて使用することができる。
【００６５】
なお、本実施例においても、送水手段９７により浴槽１００内のお湯（水）をマッサージノズル１に供給する。つまり、浴槽１００内のお湯を循環使用する点で、節水効果が高い。そして、図１乃至図２５に関して前述したように、可動子が回動自在に設けられ、吐水口の位置が変化することにより、使用者は、飽きることなく変化に富んだ吸引押圧マッサージを堪能することができる。
【００６６】
図３１は、本発明のマッサージシステムの第３の実施例を表す模式図である。
本実施例においては、浴槽１００のお湯を循環させる送水手段の代わりに、お湯（または水）の供給部９９が設けられている。供給部９９としては、例えば、浴槽１００にお湯を供給するための給湯器や、水道の蛇口等が挙げられる。
【００６７】
本実施例の場合には、供給部９９を設けることより、浴槽１００内にお湯がない状態においても、本発明のマッサージノズル１を用いた吸引押圧マッサージを受けることができる。もちろん、浴槽１００内にお湯がはられた状態においても、吸引押圧マッサージを同様に実施することができる。  
そして、図３１（ｂ）に表したように、可撓性ホース９１を伸ばすことにより、マッサージノズル１を取り外して所望の被処理部位に向けて使用することができる。また、本実施例においては、図３０に関して前述したような送水手段９７や循環のための水配管９８を設ける必要がないため、マッサージシステムの構造を簡略化させ、低コストで提供することが可能である。
そして、図１乃至図２５に関して前述したように、可動子が回動自在に設けられ、吐水口の位置が変化することにより、使用者は、飽きることなく変化に富んだ吸引押圧マッサージを堪能することができる。
【００６８】
また、ノズル収容部１２０が、浴槽１００の周縁の、いわゆる「エプロン」の部分およびその上部に、設けられていてもよい。吸引押圧マッサージを実施する場合には、マッサージノズル１を簡単に取り外し、使用者の人体の各所に容易にあてがうことができる。ノズル収容部１２０を浴槽１００のエプロンおよびその上部に設置すると、マッサージノズル１を取り外すことが極めて容易となる。また、浴槽１００内に入浴した状態で、マッサージノズル１が邪魔になる心配もない。
【００６９】
以上、具体例を参照しつつ本発明の実施の形態について説明した。しかし、本発明は、これら具体例に限定されるものではない。
すなわち、本発明のマッサージノズル及びマッサージシステムを構成するいずれかの要素について当業者が設計変更を加えたものであっても、本発明の要旨を備えたものであれば、本発明の範囲に包含される
【００７０】
例えば、マッサージノズルの外形や、吐水口とのサイズの比率、あるいは入水部の位置関係などについては、旋回流が得られ、その結果として負圧部が形成される範囲内であれば、本発明に包含される。
【図面の簡単な説明】
【００７１】
【図１】本発明の第１の実施の形態にかかるマッサージノズルの斜視図である。
【図２】本発明の第１の実施の形態にかかるマッサージノズルの断面図である。
【図３】図２のＡ−Ａ断面を示す断面図である。
【図４】旋回流の形成状態を示す模式図である。
【図５】可動子が紙面上方に傾いている状態を示す模式図である。
【図６】可動子が紙面下方に傾いている状態を示す模式図である。
【図７】人体への作用状態を示す模式図である。
【図８】第１実施例の変形例における旋回流の形成状態を示す模式図である。
【図９】可動子が紙面上方に偏心している状態を示す模式図である。
【図１０】可動子が紙面下方に偏心している状態を示す模式図である。
【図１１】本発明の第２の実施の形態にかかるマッサージノズルの断面図である。
【図１２】第２実施例における旋回流の形成状態を示す模式図である。
【図１３】可動子が旋回室軸回りに図１２の状態から半回転した状態の旋回流の形成状態を示す模式図である。
【図１４】本発明の第３の実施の形態にかかるマッサージノズルの斜視図である。
【図１５】本発明の第３の実施の形態にかかるマッサージノズルの断面図である。
【図１６】本発明の第４の実施の形態にかかるマッサージノズルの斜視図である。
【図１７】本発明の第４の実施の形態にかかるマッサージノズルの正面図である。
【図１８】図１７のＡ−Ａ断面図である。
【図１９】図１８のＢ−Ｂ断面図である。
【図２０】第４実施例の、吐水口が紙面上方に偏心している位置にある状態を示す斜視図である。
【図２１】第４実施例の、吐水口が紙面右方に偏心している位置にある状態を示す斜視図である。
【図２２】第４実施例の、吐水口が紙面下方に偏心している位置にある状態を示す斜視図である。
【図２３】第４実施例の、吐水口が紙面左方に偏心している位置にある状態を示す斜視図である。
【図２４】第４実施例において、旋回流を形成し人体に作用させている状態を示す模式図であり、図２０の状態に対応する図である。
【図２５】第４実施例において、旋回流を形成し人体に作用させている状態を示す模式図であり、図２２の状態に対応する図である。
【図２６】本発明のマッサージシステムの第１実施例を斜め正面側から眺めた模式図である。
【図２７】本発明のマッサージシステムの第１実施例を斜め後方側から眺めた模式図である。
【図２８】本発明のマッサージシステムの第１実施例の要部構成を表すブロック図である。
【図２９】マッサージシステムの第１実施例の使用状態を説明するための模式図である。
【図３０】マッサージシステムの第２実施例を表す模式図である。
【図３１】マッサージシステムの第３実施例を表す模式図である。
【符号の説明】
【００７２】
１          マッサージノズル
１Ａ        マッサージノズル
１Ｂ        マッサージノズル
１Ｃ        マッサージノズル
１Ｄ        マッサージノズル
２          旋回部
２Ｃ        旋回部
３          押さえ部
３Ａ        押さえ部
３Ｂ        押さえ部
３Ｃ        押さえ部
４          接続部
５          導入路
６          入水部
７          開口部
８          旋回室
１０        マッサージノズル本体
１０Ａ        マッサージノズル本体
１０Ｂ        マッサージノズル本体
１０Ｃ        マッサージノズル本体
２０        可動子
２０ａ        旋回水路
２０ｂ        吐水口
２０ｃ        ストッパ部
２１        可動子
２１ｂ        吐水口
２１ｃ        ストッパ部
２２        可動子
２２ａ        旋回水路
２２ｂ        吐水口
２２ｃ        ストッパ部
２３        可動子
２３ａ        旋回水路
２３ｂ        吐水口
２３ｃ        ストッパ部
２４        可動子
２４ａ        旋回水路
２４ｂ        吐水口
２４ｃ        ストッパ部
３０        突起
３１        袋部
３２        回転翼
３３        連結部材
３４        補強リング
８０        被処理部位
９０        筐体
９１        可撓性ホース
９２        電源スイッチ
９３        流量調節バルブ
９４        取水口
９５        持ち穴
９６        電源コード
９７        送水手段
９８        水配管
９９        供給部
１００        浴槽
１１０        湯
２００        使用者
ＣＦ        旋回流
ＣＴ        旋回吐水
ＮＦ        吸引力
ＰＦ        押圧力
Ｚ１        旋回室軸
Ｚ２        可動子軸
Ｚ３        旋回水路軸
【図１】
2006034829.tif 000003
【図２】
2006034829.tif 000004
【図３】
2006034829.tif 000005
【図４】
2006034829.tif 000006
【図５】
2006034829.tif 000007
【図６】
2006034829.tif 000008
【図７】
2006034829.tif 000009
【図８】
2006034829.tif 000010
【図９】
2006034829.tif 000011
【図１０】
2006034829.tif 000012
【図１１】
2006034829.tif 000013
【図１２】
2006034829.tif 000014
【図１３】
2006034829.tif 000015
【図１４】
2006034829.tif 000016
【図１５】
2006034829.tif 000017
【図１６】
2006034829.tif 000018
【図１７】
2006034829.tif 000019
【図１８】
2006034829.tif 000020
【図１９】
2006034829.tif 000021
【図２０】
2006034829.tif 000022
【図２１】
2006034829.tif 000023
【図２２】
2006034829.tif 000024
【図２３】
2006034829.tif 000025
【図２４】
2006034829.tif 000026
【図２５】
2006034829.tif 000027
【図２６】
2006034829.tif 000028
【図２７】
2006034829.tif 000029
【図２８】
2006034829.tif 000030
【図２９】
2006034829.tif 000031
【図３０】
2006034829.tif 000032
【図３１】
2006034829.tif 000033